(57)【要約】輸液セットまたはパッチポンプなどの送達装置は、インスリンなどの医薬品を患者に送達するように構成されている。輸液セットまたはパッチポンプは、医薬品との接触時に色変化を生じさせることができる底面ｐＨ指示薬を有する。一実施形態におけるｐＨ指示薬は、インスリン溶液と接触したときに色変化を示して視覚的に検出可能な迅速な色変化をもたらすことができるブロモチモールブルーである。
2020534939.tif 000002
【特許請求の範囲】
【請求項１】
患者に流体を導入するための流体送達装置であって、前記流体送達装置は、
患者の注射部位で前記患者に流体を導入するための送達要素と、
前記注射部位からの流体漏出に接触するように前記送達装置に配置された漏出検出器とを備え、
前記漏出検出器は、前記注射部位からの前記流体漏出と接触したときに可視的な色変化を生成するｐＨ指示薬を備えた、流体送達装置。
【請求項２】
前記流体送達装置が、前記患者の皮膚に接触するための接触面を備えた底面を有するハブと、
前記注射部位で患者の前記皮膚を貫通するためのカニューレと、
前記注射部位のカニューレを囲んでいる前記ｐＨ指示薬とを備えた、請求項１に記載の流体送達装置。
【請求項３】
前記送達装置の前記ハブが上面を有し、前記ｐＨ指示薬からの前記色変化が、前記ハブの前記上面を通して見える、請求項２に記載の流体送達装置。
【請求項４】
前記ｐＨ指示薬が、ｐＨ７．０からｐＨ７．８で可視的な色変化を示す、請求項１に記載の流体送達装置。
【請求項５】
前記ｐＨ指示薬がブロモチモールブルーである、請求項４に記載の流体送達装置。
【請求項６】
前記ハブが、流体カップリングと、前記カニューレを取り囲む環状凹部を備えた底面とを含み、前記ｐＨ指示薬が前記環状凹部に設けられている、請求項２に記載の流体送達装置。
【請求項７】
前記接触面が、前記送達装置を前記患者に取り付けるための接着剤を含み、前記接着剤が前記ｐＨ指示薬を取り囲んでいる、請求項６に記載の流体送達装置。
【請求項８】
前記ｐＨ指示薬が、前記ハブの底面に設けられている、請求項２に記載の流体送達装置。
【請求項９】
前記ｐＨ指示薬が、前記ハブの前記底面に形成されたコーティングである、請求項８に記載の流体送達装置。
【請求項１０】
前記漏出検出器は、前記ｐＨ指示薬が含浸された吸収性材料であり、前記吸収性材料は、前記ハブの前記底面に取り付けられている、請求項２に記載の流体送達装置。
【請求項１１】
前記送達装置は、インスリン溶液を前記患者に送達するために構成され、前記インスリン溶液は、約７．０から７．２のｐＨを有し、前記ｐＨ指示薬は、約７．０から７．８のｐＨで目に見える色変化を示す、請求項２に記載の流体送達装置。
【請求項１２】
患者の皮膚に接触するための接触面と、患者の皮膚を貫通して流体を前記患者の注射部位に送達するためのカニューレとを有するハブと、
前記ハブにあり、前記送達部位から漏出する流体と接触するように向けられた、漏出検出器とを備えた注射送達装置であって、
前記漏出検出器は前記注射部位から漏出する前記流体と接触したときに目に見える色の変化を生成するｐＨ指示薬を含む、注射送達装置。
【請求項１３】
前記ｐＨ指示薬がブロモチモールブルーである、請求項１２に記載の送達装置。
【請求項１４】
前記漏出表示器は、前記ｐＨ指示薬が含浸された吸収性材料であり、前記吸収性材料は、前記接触面にあり、前記ハブの上側を通して患者に見える、請求項１２に記載の送達装置。
【請求項１５】
前記ハブが、前記注射部位から漏出する流体を捕捉するために、前記カニューレを取り囲む環状凹部とともに上面および底面に流体カップリングを有し、前記ｐＨ指示薬が前記凹部に設けられる、請求項１２に記載の送達装置。
【請求項１６】
前記流体は、約７．０から７．８のｐＨを有するインスリンであり、前記ｐＨ指示薬は、前記患者の皮膚と接触したときに色変化を示さず、前記インスリンと接触したとき色変化を示す、請求項１２に記載の送達装置。
【請求項１７】
前記ｐＨ指示薬がブロモチモールブルーである、請求項１６に記載の送達装置。
【請求項１８】
前記ハブが外面を有し、前記漏出検出器が前記外面を通して前記患者に見える、請求項１２に記載の送達装置。
【請求項１９】
前記漏出検出器は、前記ｐＨ指示薬を含有する吸収性材料であり、前記吸収性材料は、前記注射部位からの流体漏出に接触するように構成された第１の側と、前記基部の前記外面を通して見える第２の側とを有する、請求項１８に記載の送達装置。
【請求項２０】
患者の送達部位で送達装置からの漏出を検出する方法であって、前記方法は、
送達装置を患者の皮膚に配置するステップであって、前記送達装置は、前記患者に流体を送達するための深さまで注射部位における前記患者の前記皮膚の中に配置するためのカニューレを有する、ステップと、
前記注射部位から漏出する流体と接触する場所内に前記送達装置のｐＨ指示薬を提供するステップであって、前記ｐＨ指示薬は、前記注射部位から漏出する流体と接触したときに前記患者に可視的な色変化を示す、ステップとを含む、方法。
【請求項２１】
前記流体が約７．０〜７．８のｐＨを有するインスリン溶液であり、前記ｐＨ指示薬がｐＨ７．０〜７．８で色変化を示す、請求項２０に記載の方法。
【請求項２２】
前記ｐＨ指示薬がブロモチモールブルーである、請求項２０に記載の方法。
【請求項２３】
前記ｐＨ指示薬が前記カニューレを取り囲む、請求項２０に記載の方法。
【請求項２４】
前記送達装置が、前記患者の前記皮膚に接触するための底面を有するハブを含み、前記ｐＨ指示薬が前記底面に取り付けられている、請求項２０に記載の方法。
【請求項２５】
前記ｐＨ指示薬が、前記底面のコーティングである、請求項２４に記載の方法。
【請求項２６】
前記底面に取り付けられた吸収性材料をさらに含み、前記吸収性材料が前記ｐＨ指示薬で含浸される、請求項２４に記載の方法。
【発明の詳細な説明】
【技術分野】
【０００１】
本出願は、参照によりその全体が本明細書に組み込まれる、２０１７年９月２７日出願の米国特許仮出願第６２／５６３，８６０号の明細書の利益を主張する。
【０００２】
本発明は、患者の注射部位または送達部位での漏出を検出することができる流出検出部材を有する流体送達デバイスを対象とする。一実施形態では、流体送達デバイスは、注入部位または送達部位での漏出に応答して視覚的な色変化を示すインスリン輸液セットまたはパッチポンプである。
【背景技術】
【０００３】
糖尿病患者に対して、毎日のインスリン療法には２つの主要な方法が存在する。第一の形態は、シリンジおよびインスリンペンを含む。これらの装置は使用が容易であり比較的コストもかからないが、典型的には1日に３〜４回の注射毎に針の突き刺しを必要とする。第二の形態はインスリンポンプを利用するインスリン注入療法を含む。輸液ポンプは、シリンジやペンより複雑で高価であるが、注入カニューレなどのカニューレを介したインスリンの継続的注入、正確な投与、およびプログラム可能な送達スケジュールなどの利点を提供する。
【０００４】
輸液ポンプの使用は、輸液セット、ラインセット、拡張セットまたはポンプセットと典型的に称される、インスリンをポンプ内のリザーバーから使用者の皮膚の中に運ぶ、使い捨て可能な構成要素の使用を必要とする。輸液セットは典型的に、ポンプコネクタと、長さのあるチュービングと、および注入カニューレが延びるハブまたは基部とからなる。カニューレは、典型的に、患者に挿入される注入針または可撓性カテーテルである。ハブまたは基部は、使用中に皮膚表面上に基部を保持する接着剤を有し、これは、手動で、または手動もしくは自動の挿入装置の助けを借りて皮膚に付けられ得る。たいていの場合、着脱可能な流体コネクタが設けられて、使用者がシャワーを浴びる、入浴する、または泳ぐことを望む場合に、ポンプチュービングを輸液セットのハブまたは基部から連結解除することを可能にする。
【０００５】
インスリン注入治療を提供する第二の形態はパッチポンプによるものである。パッチポンプは、使用者の皮膚に接着することができるインスリンリザーバー、ポンプ、カニューレを単一のハウジングに組み込む内蔵式装置である。パッチポンプは、使用者がシャワーを浴びる、入浴する、泳ぐことを望むときに、ポンプチュービンを連結解除することを使用者に求めないという利点を提供する。
【０００６】
輸液セットとパッチポンプに伴う問題は、カニューレが患者の皮膚から離れ、または外され、それにより注入部位において漏出が生じるときに起こる。送達部位での漏出は患者に気付かれず、高血糖値になる可能性がある。輸液ポンプは、一般に、長期間にわたってインスリンを少量ずつ投与するため、長期間にわたって患者が漏れに気付かないことが多く、これにより不適切な投与量が生じる可能性がある。
【０００７】
したがって、当業界では、患者に対して適切な漏出検出を提供する輸液セットおよびパッチポンプといった改良された送達装置が引き続き必要とされている。
【発明の概要】
【０００８】
本発明は、漏出検出システムを有する薬剤送達システムを対象とする。送達装置は、特に注入装置、パッチポンプ、または、送達、注入、また注射部位において注射される流体または物質の漏出の検出ができる漏出検出量の物質を含有する漏出検剤または漏出検出部材を有する輸液セットなどのインスリン送達装置に適しており、および使用者に可視的な表示を提供する。別の実施形態における送達装置は、パッチポンプである。
【０００９】
したがって、本発明の１つの特徴は、送達部位における漏出が発生しているという信号または表示を患者に提供するための漏出検出構成要素を有する、流体送達装置、インスリン送達装置、輸液セット、パッチポンプまたは他の送達装置を提供することである。
【００１０】
本発明の別の特徴は、注入部位において漏出が発生したか、または、現在発生しているという可視的表示を患者に提供する、輸液セット、パッチポンプまたは他の送達装置などのインスリン送達装置を提供することである。可視表示器は、表示器が注射部位からの漏出流体に接触したときの、注射部位またはその近くの色表示要素または材料の色変化に基づく。
【００１１】
本発明の実施形態における輸液セットまたはパッチポンプは、注射部位に薬剤またはインスリンなどの他の医薬品を送達するために患者の皮膚を貫通するためのカニューレを含む。漏出検出器は、カニューレの周囲または近くに提供され、検出器は、薬剤または医薬品中の１つまたは複数の化合物と、漏出検出器上または関連する１つまたは複数の化合物または成分との化学反応の結果として色変化を受ける。漏出検知器は、患者に送達される薬物または医薬品を含む液体または流体と接触したときに迅速な色変化を受ける可能性がある１つまたは複数のｐＨ感受性化合物を含む。漏出検出器は、カニューレの近くに配置され、注入部位から漏れる液体に接触する。
【００１２】
送達装置の実施形態における漏出検出器は、送達部位から漏出した流体または液体を含む薬剤が漏出検出器と接触する可能性がある送達装置の１つまたは複数の表面上の位置に配置される。漏出検出器は、注入部位からの漏出の迅速な検出を提供するように配置される。一実施形態では、送達装置は、送達部位に近接する漏出検出器を支持するための底面を有する。
【００１３】
本発明の実施形態における輸液セットまたはパッチポンプなどの流体またはインスリン送達装置は、患者の皮膚に取り付けるための底面を備えた基部を有する。基部の中央部分は、凹状領域と、基部から凹状領域を通り抜けて延びるカニューレとを有し、それにより、凹状領域は、患者に取り付けられたときに注入部位を取り囲む。凹部領域に漏出検出器が設けられ、漏出検出器は、薬剤または医薬品と接触したときに化学変化または色変化を受けることができる少なくとも１つのｐＨ感受性化合物を含む。色変化漏出検出器は、測光装置や色検出装置を必要とせずに、患者が見ることができる。一実施形態では、漏出検出器は、カニューレを取り囲み、カニューレからある距離を離間されることができ、注入部位から漏出する薬剤または医薬品を捕捉および保持するための空洞または開放領域を画定する。輸液セットまたはパッチポンプは、透き通った、透明な部分または窓を含むことができ、注入部位において漏出検知器に発生する色変化を可視化する。
【００１４】
本発明の実施形態における漏出検出器は、インスリン溶液または他の流体がｐＨ指示薬の色変化を生み出す範囲のｐＨを有する患者に送達されているインスリンまたは他の流体と接触すると色変化を示すことができるｐＨ感受性化合物またはｐＨ指示薬である。一実施形態では、ｐＨ指示薬は、送達されるインスリン溶液または他の流体がｐＨ指示薬と接触したときに可視的な色変化を提供することができるブロモチモールブルーまたは他のｐＨ感受性化合物である。インスリンは一般に、フェノール系安定化剤などの安定化剤を含むことができる溶液の形態である。インスリン溶液は、ある量のインスリンがpH指示薬と接触したときに可視的な色変化をもたらすpHを有する。
【００１５】
本発明の特徴は、一実施形態において、インスリンを含有するインスリン供給源を備えるインスリン送達装置を提供することによってさらに達成される。一実施形態では、輸液セットは、患者の皮膚を貫通し、患者の皮膚に接触するための接触面を有するように適合される。接触面領域は、患者に送達されるインスリンまたは他の流体と接触したときに可視的な色変化を生成するのに有効な量のブロモチモールブルーなどのｐＨ色指示薬を含む漏出検出器を有し、ｐＨ色指示薬と接触する。
【００１６】
本発明の特徴はまた、インスリンを含有するインスリン供給源と、供給源に結合され、患者の皮膚を貫通するように適合された輸液セットとを備えるインスリン送達装置を提供することによって達成される。一実施形態の輸液セットは、患者の皮膚に取り付けるための接触面と、接触面内に形成された空洞と、空洞内のカニューレと、空洞内にありカニューレを取り囲む漏出検出器とを備えた基部を有する。漏出検出器は、インスリンまたはインスリンに含まれる成分と接触すると色変化を受けることができる少なくとも１つのｐＨ指示薬を有し、送達装置を通して見ることができる。
【００１７】
患者の注射送達部位での漏出を検出する方法は、患者の注射部位に注射送達装置を配置し、送達装置は、患者の送達部位からの流体の漏出と接触して色変化を示すように適合された送達部材およびｐＨ指示薬を有する。一実施形態の送達装置は、流体を患者に送達するために患者に導入される可撓性カテーテルなどのカニューレを含む。ｐＨ指示薬は、注射部位での液体漏出に接触するようにカニューレまたはカテーテルの隣または周囲に配置することができる。
【００１８】
本発明の追加の特徴は、インスリン輸液セットと患者への送達点との間の漏出を検出する方法を提供することによって達成される。この方法は、送達点に漏出検知器を提供することを含む。一実施形態の漏出検出器は、送達点から漏出したインスリンと接触すると色変化を生じるのに十分な量のブロモチモールブルーを含む。
【００１９】
本発明のこれらおよび他の利点および顕著な特徴は、本発明の様々な実施形態を開示する付属の図および本発明の以下の詳細な説明から明確になる。
【図面の簡単な説明】
【００２０】
以下は、図面の簡単な説明である。
【図１】本発明の一実施形態におけるインスリン輸液セットの斜視図である。
【図２】供給装置結合部が連結解除されていることを示す、図１の輸液セットの分解図である。
【図３】輸液セットの基部の斜視図である。
【図４】図３の輸液セットの底面図である。
【図５】可撓性カテーテルとしての可撓性カニューレを示す、輸液セットの側面図である。
【図６】漏出検出器を示す、図５の輸液セットの断面図である。
【図７】別の実施形態における漏出検出器を示す輸液セットの断面図である。
【図８】さらなる実施形態における漏出検出器を示す、輸液セットの断面図である。
【発明を実施するための形態】
【００２１】
本発明は、流体送達装置またはインスリン送達装置などの漏出検出装置を有する、流体送達装置、または、薬剤送達装置を対象とする。本発明は、特に、送達部位での漏出の可視的表示を提供する漏出検出器を有する流体送達装置を対象とする。本発明はさらに、活性剤を含有する流体を患者に送達するための流体送達装置を対象とする。流体送達装置は、典型的に、インスリンなどの薬剤を送達するための薬剤送達装置である。本開示では、注射部位は、患者に送達される物質について、患者の注入部位または送達部位と互換的に使用することができる。
【００２２】
添付の図面に示されている本発明の実施形態が参照されており、同じ参照番号は全体を通して同じ要素を指す。ここで説明する実施形態は、図面を参照することにより本発明を例示するものであり、限定するものではない。例示的な実施形態は、別個の説明で提示されるが、これらの実施形態の個々の特徴および構造は、使用者の治療ニーズを満たすために、任意の数の方法で組み合わせることができる。
【００２３】
この開示は、その適用において、以下の説明に示されるか、または図面に示される構成の詳細および構成要素の配置に限定されない。本明細書の実施形態は、様々な方法で修正、実施、または実行することができる。また、本明細書中で使用する表現および用語は、説明を目的とするものであり、限定するものと見なすべきではないことは理解されよう。本明細書における「含む」、「備える」または「有する」およびそれらの変形の使用は、その後に列挙されるアイテムおよびその均等物ならびに追加のアイテムを包含することを意味する。特に限定されない限り、本明細書における「接続」、「結合」、および「取り付け」という用語、およびそれらの変形は広く使用され、直接および間接の接続、結合、および取り付けを包含する。加えて、「接続された」および「結合された」という用語およびそれらの変形は、物理的または機械的な接続または結合に限定されない。さらに、上、下、底、頂点などの用語は相対的であり、図示を助けるためのものであるが、限定するものではない。 実施形態は相互に排他的であることを意図しておらず、一実施形態の特徴は、それらが互いに矛盾しない限り、他の実施形態と組み合わせることができる。
【００２４】
一実施形態における薬剤送達装置は、業界で知られている輸液ポンプまたは他の供給装置に接続するためのインスリン輸液セットなどのインスリン送達装置である。あるいは、送達装置は、内部薬剤リザーバーを有する内蔵型パッチポンプであることができる。本発明の図示する実施形態における薬剤送達装置は、導管または供給チューブ１６によって輸液ポンプに接続された輸液セット１２として示される流体供給装置を含む。輸液セットは、基本的には、主に制御された速度と投与量で患者にインスリンを送達するためのものである。ＨＩＶ薬剤、肺高血圧を治療するための薬剤、鎮痛剤、抗がん治療、ビタミン、成長ホルモン、または他の物質などの他の液体もまた、患者への注入によって投与することができる。
【００２５】
送達装置は、流体を患者に送達することができる任意の送達装置になることができる。送達装置は一般に、患者の皮膚内またはその下にある深さまで配置されて患者に十分な送達を提供する、可撓性カテーテル、針または他の装置などのカニューレを含む。送達装置は、患者に送達される流体のｐＨを補完して、流体の存在下でｐＨ指示薬に目に見える色の変化を提供するｐＨ指示薬を含む。一実施形態では、ｐＨ指示薬は、患者の皮膚と接触すると最初の色を有するかまたは無色であることができ、流体と接触すると異なる色を生成する。
【００２６】
本明細書に示され説明される実施形態では、送達装置は、輸液セットまたはパッチポンプであるが、本発明は、輸液セット、パッチポンプ、または特定の皮膚若しくは皮下送達部材に限定されることを意図しない。送達装置は、注射部位で漏出した流体を受け取り、および／または捕捉し、可視的な色変化を生成するための開放領域またはチャンバーであることができる領域を有する。患者に流体を導入するための流体送達装置は、活性剤および安定化剤または保存剤を含有する流体を送達するための流体供給装置、皮膚を貫通するための送達要素、および漏出検出器を含む。注射部位または注入部位は、インスリンまたは他の流体が患者に送達される患者の場所を指す。示される実施形態では、注射部位は、カニューレが患者の皮膚を貫通する点である。
【００２７】
図面の図１〜４を参照すると、輸液セット１２は、可撓性パッド１８、流体供給に接続するために中央に配置されたハブ２０、および基部２１を有する。パッド１８は、取り付けられたときに患者の皮膚に適合するのに十分な可撓性を有する材料から作製される。パッド１８の底面は、図５および図６に示される患者にパッドおよびハブを取り付けるための接着剤２２を含む。保管中、図２に示される保護ピール層２４が接着剤２２を覆うために提供され、使用時に患者によって取り外すことができる。
【００２８】
ハブ２０は、中央に配置され、パッド１８に取り付けられ、パッドとハブとの間に実質的に流体密なシールを提供する。中央ハブ２０は、着脱可能な流体カップリング２８に連結するための流体ポート２６を備えた上面２３を有する。一実施形態では、ハブ２０および／または基部２１は、患者がハブ２０と皮膚の間の漏出検出器の色変化を可視化および観察できる透明または十分に透明または半透明のプラスチック材料から部分的または全体的に作ることができる。透明な部分または領域は、患者が容易に見ることができるハブ２０またはパッドの上面２３上にあることができる。ポート２６は、外方向に延びる環状フランジ３０を備えた実質的に円筒形の形状構成を有する。環状フランジ３０は、図１に示すようにカップリング２８の対応する凹部に連結する。前もってスリットが入れられた弾性の隔壁３３によって上側端部近くがシールされた軸方向通路３２は、患者に流体を供給するためにポート２６およびハブ２０を通って延びる。流体カップリング２８内の鈍的プラスチックカニューレは、隔壁３３を貫通して、輸液セット１２への流体の流れを確立する。
【００２９】
カニューレ３４などの送達要素、または送達部位の皮膚を貫通または配置するための他の送達要素は、ハブ２０に結合され、図１、図２および図５に示されるようにハブ２０の底面３６上の境界領域から延びる。カニューレ３４は、当技術分野で知られているようなステンレス鋼から作製された剛性カニューレまたは軟質の可撓性カニューレ、または可撓性カテーテルであることができる。軟質の可撓性カニューレは典型的に、皮膚を貫通して可撓性カニューレを皮膚内に配置することができ、配置後その挿入針は取り外される挿入針（図示せず）を含む。典型的に、輸液セットは、当技術分野で知られているような可撓性のカニューレおよび挿入針を有することになる。
【００３０】
図４および６の実施形態に示されるようなハブ２０の底面３６は、凹部４０、カニューレ支持ポスト５２、およびカニューレ３４を含む。図示の実施形態の凹部４０は、ハブ２０の底面に開放領域または空洞を形成するための実質的に環状の形状を有する。図示の実施形態における凹部４０は、カニューレ支持ポスト５２の周りおよびカニューレ３４の周りに形成される。ハブ２０の上または内部に配置されているのは、患者に送達される流体が漏出検出器に接触したときに、患者に可視的な色変化を提供できる漏出表示器である。一実施形態では、色変化は、ハブ２０の上面２３を通して患者に見える。
【００３１】
一実施形態における漏出表示器は、通常の動作および送達装置の使用中に安定であり、注入部位から漏出した流体がｐＨ指示薬に接触したときに可視的な色変化を示すことができる少なくとも１つのｐＨ感受性化合物またはｐＨ指示薬化合物を含む。漏出検出器は、インスリンの検出を改善することができるｐＨ指示薬の混合物を含むことができる。ｐＨ指示薬は、インスリンまたは他の流体のｐＨに敏感であり、流体漏出と接触する前の色に対して色変化を受ける。ｐＨ指示薬は、インスリン溶液または他の流体のｐＨ範囲に基づいて選択され、流体がｐＨ指示薬に接触したときに可視的な色変化を提供する。ｐＨ指示薬の量は、患者の有効性または治療を低下させるであろう有意であると考えられる量の流体漏出を検出する量で存在する。一実施形態では、ｐＨ指示薬は、適切なインスリン送達を妨げる漏出量に対応する閾値量を超えるインスリンを検出する量で存在する。例えば、患者の治療を妨害しない非常に少量の流体漏出の検出を最小限に抑え、および、それによって重大な漏出が発生したか現在発生しているという誤った表示のリスクを低減する漏出表示器とpH指示薬が存在する。一実施形態では、ｐＨ指示薬は、少なくとも約１００μｌ以上の漏れを検出することができる。ｐＨ指示薬化合物の量は、送達部位に対する漏出検出器の位置に応じて、約０．５ｇから約２５ｇの量で存在することができる。
【００３２】
特に適切なｐＨ指示薬は、インスリン溶液と接触すると色変化を受けることができるブロモチモールブルーである。ブロモチモールブルーは通常、酸性条件では黄色、中性条件では緑色、アルカリ性条件では青色である。皮膚のｐＨは、特に石鹸で洗った後、通常４．７〜６．４である。市販のインスリンは一般にｐＨ７．０〜７．８で、ブロモチモールブルーに色変化を引き起こす。市販のインスリンの例は、Ｌｉｓｐｒｏ、ＡｓｐａｒｔおよびＧｌｕｉｓｉｎｅの商品名で入手可能である。
【００３３】
輸液セットとｐＨ指示薬が患者の皮膚に接触している場合、ｐＨ指示薬として使用される場合、ブロモチモールブルーは通常の使用中は一般に黄色または緑色である。ブロモチモールブルーは一般に、皮膚や水と接触しても色変化を示さない。ｐＨ指示薬は、患者の皮膚との反応を回避して、漏出の偽陽性の兆候の発生を抑制または低減するように選択される。ブロモチモールブルーは、ｐＨ指示薬がｐＨ７．０〜７．８のインスリン溶液と接触すると緑色を示す。インスリンとの接触の前後に適切な色変化を提供することができる他のｐＨ色指示薬を使用することもできる。本発明の実施形態におけるｐＨ色指示薬は、インスリン溶液の１つ以上の成分または希釈剤によって提供されるインスリン溶液のｐＨを検出することができる。ブロモチモールブルーに加えて、または代替として、約７．０〜７．８のｐＨを有するインスリン溶液の存在下で可視的な色変化を示すpH指示薬の他の例には、フェノールレッド、ニュートラルレッド、クレゾールレッド、およびナフトフタレインが含まれる。一実施形態におけるｐＨ指示薬は、インスリン溶液の漏出を示すために、ｐＨ７．０からｐＨ７．８で色変化を生成する。
【００３４】
図３〜図６の実施形態では、ｐＨ指示薬は、ハブ２０の底面の１つまたは複数の表面に適用され、送達部位から漏出するインスリンまたは他の流体は、ｐＨ指示薬に接触することができる。示される実施形態では、ｐＨ指示薬は、ハブ２０および／または基部２１の１つまたは複数の表面に直接コーティングとして塗布される。コーティングは、プラスチック材料で使用するための適切なコーティング手順によって溶液として適用することができる。好ましくは、コーティングは乾燥しており、使用の準備ができるまで安定しており、ハブの選択された表面に十分に付着して、送達装置の通常の使用中に別の表面または患者の皮膚への移動または摩耗を防止する。
【００３５】
図３〜図６の実施形態では、漏出検出器はｐＨ指示薬６０であり、ポスト５２およびカニューレ３４の隣および／または周囲の領域のハブの１つまたは複数の場所にコーティングとして適用される。コーティングは、所望の期間にわたって所望の投与量を妨害する漏出の量を検出することができるように、ある量のｐＨ指示薬を含む。一実施形態では、コーティングは、送達デバイス上に約０．５ｇ以上のｐＨ指示薬を含む。一実施形態におけるｐＨ指示薬６０は、図6に示すように凹部内のポスト５２の側壁５３、凹部の外側環状面５５、および／または患者の皮膚に面するハブ２０の底面３６に適用することができる。一実施形態では、ｐＨ指示薬６０は、カニューレを取り囲む皮膚に接触するハブの面に設けられ、接着剤２２から半径方向内側に間隔を置いて配置される。接着剤２２は、好ましくは、患者の皮膚に接触して、使用中に装置を患者に取り付け、カニューレハブおよびカニューレの周りに流体シールを形成する。接着剤は、送達部位の周囲に液体シールを形成することができ、接着剤によって定義された開放領域内の送達部位から漏れる流体を封じ込め、pH指示薬の位置に流体を向けるか、封じ込めて、送達部位での色変化と漏出の迅速な可視化を促進する。示される実施形態では、ハブ２０および／または基部２１の少なくとも一部は、ｐＨ指示薬の色変化がハブ２０の上面２３を通して見える場合に十分に透明である。
【００３６】
装置の実施形態における漏出表示器は、色を変えることができ、カニューレの不適切な配置、または使用中のカテーテルの偶発的な動きと引き抜きの結果として、流体がカニューレの周りの送達部位から漏れているか、または漏れている可能性があることを患者に可視的な表示を提供することができるｐＨ色指示薬である。ｐＨ指示薬は、注射部位から漏出する流体と接触することができる位置にあるハブの少なくとも１つの表面上のコーティングとして適用することができる。ｐＨ指示薬のコーティングは、ハブのプラスチック材料にコーティングを適用できる任意の適切なコーティング方法で適用することができる。コーティングは典型的に、ｐＨ指示薬がハブに安定した状態で使用できるようになるまで保持され、適切な投与量を妨げる漏れが発生したことを患者に可視的な表示を提供する量で塗布される。
【００３７】
図６に示すように、パッドが患者の皮膚に粘着的に取り付けられているときに皮膚に接触できるハブの底面に、漏出検知器として使用される場合のｐＨ色指示薬を適用できる。図示された実施形態では、ｐＨ指示薬は、送達部位から漏出する流体と接触するために、注射部位の周りに実質的に連続的な漏出表示器を形成する。示されているように、ｐＨ指示薬はパッドの接着剤によって定義された開放領域内に配置される。ｐＨ指示薬は、典型的に、送達部位からの適切な距離に配置され、送達部位での漏出の迅速な検出を提供する。ｐＨ指示薬は、注射部位から十分に小さな距離を空けることができ、流体送達の挿入中および最初の開始時に、投与量の有効性が低下しない少量のインスリンまたは他の流体が漏れる場合、漏出の偽陽性を回避する。一実施形態では、ｐＨ指示薬は、１０〜１００μｌの量の漏出を検出するであろう送達部位から距離を置いて配置することができる。他の実施形態では、ｐＨ指示薬は、注射部位からの漏れを約５０μｌ以上の量で検出するであろう注射部位からの距離に配置される。pH指示薬は、注射部位からの約１００μｌか、またはそれ以上の漏出を検出することができる。ｐＨ指示薬の量は、送達装置の寸法、ｐＨ指示薬および漏出検出器の位置、および送達流体のｐＨの濃度に基づいて選択することができる。一実施形態では、ｐＨ指示薬は、約０．５ｇから約２５ｇの量で漏出検出器内に存在することができる。さらなる実施形態では、ｐＨ指示薬は、送達部位の周りの接着剤材料の上または中にあることができる。
【００３８】
図７の実施形態に示されるように、漏出検出器４２は、注射部位から漏れる流体を吸収または毛管作用的に吸い上げ、流体を運んでｐＨ指示薬と接触させることができる吸収性材料であることができる。図７および図８の実施形態における漏出検出器は、ｐＨ色指示薬を含む、または含有する装置、コーティングまたは構造を指す。吸収性材料は、十分な量のｐＨ指示薬を含浸、コーティング、または接触することができ、送達部位で漏出が発生している使用者に可視的表示を提供する。本発明の実施形態では、ｐＨ指示薬化合物は、送達部位からの流体が吸収性材料に接触する送達部位からの少量の漏れを検出することができる量で、漏出検出器の吸収性材料に含まれる。吸収性材料は、例えば、約１〜１０ｇのｐＨ指示薬を含むことができる。
【００３９】
漏出検出器４２は、注入部位から漏れる流体と接触するように向けられた少なくとも１つの表面と、患者に見える少なくとも１つの表面とを有する。ハブ２０などの注入装置は、漏出検出器を患者が観察できる窓または透明領域を有することができる。一実施形態では、漏出検出器は、インスリンなどの流体を、注射部位から患者に見える表面まで毛管作用的に吸い上げるまたは輸送することができる。ｐＨ指示薬は、窓または注入装置の十分に透明な部分など、患者から見える漏出検知器の表面または領域に集中させることができる。
【００４０】
示される実施形態では、漏出検出器４２の吸収性材料は、カニューレ３４およびカニューレ支持ポスト５２を取り囲む実質的に環状の形状を有し、吸収性材料４２と送達部位との間に開放領域を形成し、送達部位から漏れる可能性がある流体を捕捉する。漏出表示器４２の環状形状は、凹部４０内のカニューレ３４を取り囲む環状空間４４を画定する。図示するように、環状空洞４４は、ハブ２０の内壁とカニューレ支持ハブ５２の外面との間に形成される。漏出検出器４２の吸収性材料は、カニューレからある距離だけ離れており、カニューレと漏出検出器との間の開放領域を画定して、送達部位から漏れる流体を捕捉する。漏出検出器４２の吸収性材料は、図７に示されるように、凹部４０の深さに対応する高さを有することができる。この実施形態では、漏出検出器４２は、送達部位の周りの皮膚に接触するので、送達からの漏れは、漏出検出器に接触することなく逃げることがない。
【００４１】
代替実施形態では、漏出検出器４２は、カニューレ３４と漏出検出器４２との間に隙間または空間が存在しないように、凹部４０全体を充填することができる。別の実施形態では、漏出検出器４２は、環状凹部４０の外壁と内壁との間に延びる内向きに延びる部分を含むことができ、このとき、空洞４４は、空洞４４がカニューレハブ５２およびカニューレ３４を囲むように漏出検出器４２の下方に形成されている。凹部４０は、カニューレ３４の挿入中の皮膚の緊張を緩和するために提供されることができる。他の実施形態では、漏出検出器４２は、空洞４４の一部のみを占有し、セグメントから形成されることができるか、または連続的なまたは離間された複数の漏出検出器であることができる。
【００４２】
一実施形態では、漏出表示器は、円筒形状を有するハブ２０の一部内に形成される。漏出検出器は、ポート２６の円筒形部分５０内に設けることができる。漏出検出器は、ポート２６の円筒形部分５０の側壁および／またはハブ２０の上面２３を通しても見ることができ、それによって色変化が発生したときの可視化を向上させる。
【００４３】
図８に示される別の実施形態では、漏出検出器６２は、ｐＨ指示薬でコーティングまたは含浸され、ハブ２０の底面３６に取り付けまたは形成されて、カニューレ３４の周りの患者の皮膚に接触する吸収性材料であることができる。このようにして、送達部位で漏れる流体は、吸収性漏出検出器４２によって捕捉される。
【００４４】
図７および図８の実施形態における漏出表示器は、注入部位での漏出の場合に視覚的な色表示を提供することができる色変化成分としてｐＨ指示薬を含有する吸収性材料である。吸収性材料は、インスリンまたは他の流体が送達の所望の投与量または速度を妨げる量で送達部位から漏れていることを可視的な表示を提供するであろう量のpH指示薬を含有する吸収性紙、多孔性繊維状材料、またはヒドロゲルであることができる。漏出検出器および色の変化は、ハブ２０の透明な部分を通して使用者が見ることができる。示されるように、カニューレ貫通部位の送達部位は、典型的に、漏出が発生する場所である。漏出は、不適切に挿入されたカニューレ、または輸液セット１２の移動の結果として部分的または完全に取り外されたカニューレの結果となることができる。本発明の好ましい実施形態では、漏出表示器は、漏出が発生しているという可視的表示を患者に素早く提供するように配置され、それにより、漏出を修正し、意図された投与量を提供する機会を提供する。漏出検出器４２は、送達装置を通して、漏出の可視的な色表示を提供する。
【００４５】
図７および図８の実施形態では、注入部位で発生する漏出は、空洞４４および漏出検出器で捕捉される。患者に送達される流体は、漏出検出器によって吸収され、次いで、漏出検出器内の１つまたは複数の化合物と反応して、送達装置を通して可視的表示を提供する。
【００４６】
一実施形態では、漏出検出器４２は、流体または注入液体と接触したときに色変化を受けることができる少なくとも１つの分散した化合物を有する透明な高拡散ヒドロゲルから作製されることができる。ヒドロゲルは、送達装置または輸液セットの底面の１つまたは複数の表面にヒドロゲルを取り付けるための片側に接着剤裏打ちを有するフィルムまたは円筒形の部材として形成することができる。ヒドロゲルの例は、ポリアクリルアミド、シリコーンヒドロゲル、架橋ポリエチレンオキシドおよび架橋ポリビニルピロリドンを含む。輸液セットの透き通ったまたは透明の構成要素は、輸液セットの１つまたは複数の部分を通る色変化による反応の可視化を可能にする。
【００４７】
本発明の一実施形態では、注入液体はインスリン製剤である。漏出検出器は、インスリン製剤の漏出の誤った表示を与えることを回避するために、体液中に存在しないインスリン製剤の成分または化合物と反応する少なくとも１つの成分を含有する。インスリン製剤は、典型的に、インスリン、六量体亜鉛安定剤保存剤、ｐＨ緩衝剤、グリセロールなどの界面活性剤およびＮａＣｌなどの等張化剤を含む。一般的なインスリン保存剤または安定化剤は、ｍ−クレゾール、フェノール、およびそれらの混合物を含む。
【００４８】
他の実施形態では、漏出検出器４２は、ｍ−クレゾールおよび/またはフェノールなどの安定化剤と反応する他の化合物と組み合わせて使用することができるｐＨ色表示を含有し、注入液が漏出検知器に吸収されたときに色変化を生み出す。漏出検出器内の追加の色変化化合物は、好ましくは、ｐＨ色指示薬と非反応性であり、インスリンまたは他の注入液の安定化剤と反応したときに色変化を生成する。
【００４９】
追加の色変化化合物は、４−アミノアンチピリンおよび過硫酸カリウムなどの酸化剤の混合物を有効な量で含むことができ、注入液が漏出検出器４２に接触したときに安定化剤と反応することにより色変化をもたらす。酸化剤としての過硫酸カリウムは、フェノール、ｍ−クレゾール、４−アミノアンチピリンの存在下で迅速な色変化を提供することがわかっている。漏出検出器は、反応の速度を高め、色変化を増幅するために、西洋ワサビペルオキシダーゼ（ＨＲＰ）などの触媒または酵素を含むこともできる。
【００５０】
様々な実施形態が本発明を図示しているが、添付の特許請求の範囲およびそれらの等価物内で定義された本発明の範囲から逸脱することなく、様々な変更および修正を行うことができることが理解されよう。
【図１】
2020534939.tif 000003
【図２】
2020534939.tif 000004
【図３】
2020534939.tif 000005
【図４】
2020534939.tif 000006
【図５】
2020534939.tif 000007
【図６】
2020534939.tif 000008
【図７】
2020534939.tif 000009
【図８】
2020534939.tif 000010
【国際調査報告】
2020534939.tif 000011